(57)【特許請求の範囲】
【請求項１】
電池を収容する電池収容部を有した筐体と、
前記電池収容部に着脱自在に設けられ、前記電池収容部の開口部を塞ぐプレート状のカバーと、
前記開口部の外周側に形成された周壁部に向かって、前記カバーの外周部から突出して形成され、前記カバーの前記外周部と前記周壁部との間に挟み込まれるシール部材と、
前記カバーの一端において、当該カバーを前記筐体にロックするロック部と、
前記ロック部による前記カバーの前記筐体へのロックを解除するロック解除機構と、を備え、
前記ロック部は、
前記筐体に設けられ、前記シール部材の外周側において前記カバーの表面に直交する方向に連続する凹部と、
前記筐体に設けられ、前記筐体の外部から前記カバーの表面に平行な方向に連続して前記凹部に貫通する貫通孔と、
前記カバーに設けられ、前記カバーの表面に直交する方向に延びて前記凹部に挿入される係止爪と、
該係止爪の先端部から側方に突出し、前記凹部内で前記貫通孔に係止される係止突起と、
を具備し、
前記ロック解除機構は、
前記筐体に設けられ、前記貫通孔が連続する方向に進退可能とされて、前記貫通孔に係止された前記係止突起を前記筐体の外部から押圧するロック解除部材と、
前記係止突起と前記ロック解除部材の少なくとも一方に設けられ、前記係止爪を前記凹部から抜き出す方向に押圧する傾斜面と、
を具備し、
前記シール部材は、弾性材料からなり、前記ロック部により前記カバーが前記筐体にロックされた状態で、前記カバーと前記筐体との間で押しつぶされた状態とされるとともに、前記ロックされた状態が解除された状態で、自身の弾性力によってカバーを前記筐体から離間する方向に持ち上げることを特徴とする電子機器。
【請求項２】
物品を収容する物品収容部を有したケース本体と、
前記物品収容部に着脱自在に設けられ、前記物品収容部の開口部を塞ぐプレート状のカバーと、
前記開口部の外周側に形成された周壁部に向かって、前記カバーの外周部から突出して形成され、前記カバーの前記外周部と前記周壁部との間に挟み込まれるシール部材と、
前記カバーの一端において、当該カバーを前記ケース本体にロックするロック部と、
前記ロック部による前記カバーの前記ケース本体へのロックを解除するロック解除機構と、を備え、
前記ロック部は、
前記ケース本体に設けられ、前記シール部材の外周側において前記カバーの表面に直交する方向に連続する凹部と、
前記ケース本体に設けられ、前記ケース本体の外部から前記カバーの表面に平行な方向に連続して前記凹部に貫通する貫通孔と、
前記カバーに設けられ、前記カバーの表面に直交する方向に延びて前記凹部に挿入される係止爪と、
該係止爪の先端部から側方に突出し、前記凹部内で前記貫通孔に係止される係止突起と、
を具備し、
前記ロック解除機構は、
前記ケース本体に設けられ、前記貫通孔が連続する方向に進退可能とされて、前記貫通孔に係止された前記係止突起を前記ケース本体の外部から押圧するロック解除部材と、
前記係止突起と前記ロック解除部材の少なくとも一方に設けられ、前記係止爪を前記凹部から抜き出す方向に押圧する傾斜面と、
を具備し、
前記シール部材は、弾性材料からなり、前記ロック部により前記カバーが前記ケース本体にロックされた状態で、前記カバーと前記ケース本体との間で押しつぶされた状態とされるとともに、前記ロックされた状態が解除された状態で、自身の弾性力によってカバーを前記ケース本体から離間する方向に持ち上げることを特徴とするケース。
【発明の詳細な説明】
【技術分野】
【０００１】
本発明は、防水型の電子機器、及びケースに関する。
【背景技術】
【０００２】
携帯電話端末、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等をはじめとする各種の携帯型の電子機器においては、日常生活時における雨や水、汗等に対する防水性が求められることが多くなっている。
これらの電子機器では、電源となる電池を着脱するため、その筐体にカバーが設けられている。例えば特許文献１では、カバーを装着した状態における防水性を確保するため、カバーと筐体との間にゴム系材料等からなるシール部材が設けられており、筐体に対してカバーを嵌合させてシール部材を押し潰すことにより、カバーを密閉させて止水する構造となっている。
【０００３】
カバーは、電子機器を落下させた場合等において不用意に筐体から外れてしまうのを防ぐため、筐体に対して強固に嵌合させる必要がある。しかし、カバーの筐体に対する嵌合を強くすると、カバーの脱着が困難になってしまう。
【０００４】
そこで、図５に示すように、カバー５を、スライド式のロック機構７により、筐体２に係合させる構成が存在する。すなわち、防水型の携帯電話端末１の筐体２に、電池３を収容する電池収容部４が設けられ、この電池収容部４に収容された電池３を覆うよう、カバー５が設けられている。ここで、カバー５において、電池収容部４に対向する側には、図示しないシール部材が設けられており、このシール部材が、電池収容部４の外周部の当たり面６に突き当たるようになっている。カバー５は、その一端５ａ側に設けられた係止爪８が電池収容部４の外周部に形成された係止凹部に係合し、他端５ｂ側が、スライド式のロック機構７により電池収容部４の外周部にロックされるようになっている。
【０００５】
このようなロック機構７は、スライド式ボタン７ａを、例えば図５中の矢印ａ方向にスライドさせるとカバー５の他端５ｂと係合し、反対方向の図５中の矢印ｂ方向にスライドさせるとカバー５の他端５ｂとの係合が解除されるようになっている。
【先行技術文献】
【特許文献】
【０００６】
【特許文献１】特開２００８−２８８１７４号公報
【発明の概要】
【発明が解決しようとする課題】
【０００７】
しかしながら、特許文献１に記載の技術においては、カバー５を取り外すのに、スライド式ボタン７ａのｂ方向への移動、カバー５の他端５ｂ側の引き上げという２段階のアクションが必要である。また、カバー５を筐体２に装着するときにも、カバー５を押さえつけてシール部材を押し潰し、この状態で、ロック機構７のスライド式のボタン７ａを操作するという２段階のアクションが必要となっていた。
このような問題は、携帯電話端末をはじめとする電子機器に限らず、開口部を塞ぐカバーを有した防水型のケースにおいても共通する。
そこでなされた本発明の目的は、防水性を確実に発揮しつつ、開口部を塞ぐカバーの開閉を容易に行うことのできる電子機器、ケースを提供することである。
【課題を解決するための手段】
【０００８】
本発明は、上記課題を解決するため、以下の手段を採用する。
すなわち、本発明の電子機器は、電池を収容する電池収容部を有した筐体と、前記電池収容部に着脱自在に設けられ、前記電池収容部の開口部を塞ぐプレート状のカバーと、前記開口部の外周側に形成された周壁部に向かって、前記カバーの外周部から突出して形成され、前記カバーの前記外周部と前記周壁部との間に挟み込まれるシール部材と、前記カバーの一端において、当該カバーを前記筐体にロックするロック部と、前記ロック部による前記カバーの前記筐体へのロックを解除するロック解除機構と、を備え、前記ロック部は、前記筐体に設けられ、前記シール部材の外周側において前記カバーの表面に直交する方向に連続する凹部と、前記筐体に設けられ、前記筐体の外部から前記カバーの表面に平行な方向に連続して前記凹部に貫通する貫通孔と、前記カバーに設けられ、前記カバーの表面に直交する方向に延びて前記凹部に挿入される係止爪と、該係止爪の先端部から側方に突出し、前記凹部内で前記貫通孔に係止される係止突起と、を具備し、前記ロック解除機構は、前記筐体に設けられ、前記貫通孔が連続する方向に進退可能とされて、前記貫通孔に係止された前記係止突起を前記筐体の外部から押圧するロック解除部材と、前記係止突起と前記ロック解除部材の少なくとも一方に設けられ、前記係止爪を前記凹部から抜き出す方向に押圧する傾斜面と、を具備し、前記シール部材は、弾性材料からなり、前記ロック部により前記カバーが前記筐体にロックされた状態で、前記カバーと前記筐体との間で押しつぶされた状態とされるとともに、前記ロックされた状態が解除された状態で、自身の弾性力によってカバーを前記筐体から離間する方向に持ち上げることを特徴とする。
【０００９】
また、本発明のケースは、物品を収容する物品収容部を有したケース本体と、前記物品収容部に着脱自在に設けられ、前記物品収容部の開口部を塞ぐプレート状のカバーと、前記開口部の外周側に形成された周壁部に向かって、前記カバーの外周部から突出して形成され、前記カバーの前記外周部と前記周壁部との間に挟み込まれるシール部材と、前記カバーの一端において、当該カバーを前記ケース本体にロックするロック部と、前記ロック部による前記カバーの前記ケース本体へのロックを解除するロック解除機構と、を備え、前記ロック部は、前記ケース本体に設けられ、前記シール部材の外周側において前記カバーの表面に直交する方向に連続する凹部と、前記ケース本体に設けられ、前記ケース本体の外部から前記カバーの表面に平行な方向に連続して前記凹部に貫通する貫通孔と、前記カバーに設けられ、前記カバーの表面に直交する方向に延びて前記凹部に挿入される係止爪と、該係止爪の先端部から側方に突出し、前記凹部内で前記貫通孔に係止される係止突起と、を具備し、前記ロック解除機構は、前記ケース本体に設けられ、前記貫通孔が連続する方向に進退可能とされて、前記貫通孔に係止された前記係止突起を前記ケース本体の外部から押圧するロック解除部材と、前記係止突起と前記ロック解除部材の少なくとも一方に設けられ、前記係止爪を前記凹部から抜き出す方向に押圧する傾斜面と、を具備し、前記シール部材は、弾性材料からなり、前記ロック部により前記カバーが前記ケース本体にロックされた状態で、前記カバーと前記ケース本体との間で押しつぶされた状態とされるとともに、前記ロックされた状態が解除された状態で、自身の弾性力によってカバーを前記ケース本体から離間する方向に持ち上げることを特徴とする。
【発明の効果】
【００１０】
本発明によれば、ロック部において、ロック部が設けられている側でカバーを筐体側に押圧すると、カバーの係止爪が筐体の凹部に挿入され、さらに係止突起が凹部に貫通した貫通孔に係止される。これにより、カバーを筐体に容易に取り付けることができる。また、カバーを筐体に取り付けた状態では、シール部材を挟み込んだ状態でカバーを筐体やケース本体に確実にロックすることができ、防水性を確実に発揮できる。
そして、ロック解除機構のロック解除部材を貫通孔に沿って押し込むと、ロック解除部材が貫通孔に係止された係止突起を押圧してカバーの筐体へのロックを解除する。さらに、係止突起とロック解除部材の少なくとも一方に形成された傾斜面により、係止爪を凹部から抜き出す方向に押圧することができる。つまり、ロック解除部材を貫通孔に沿って押し込むのみで、カバーのロック解除、およびカバーの筐体からの引き起こしを１アクションで行うことができ、カバーの取り外しを容易に行うことが可能となる。
【図面の簡単な説明】
【００１１】
【図１】本実施形態における携帯電話端末の外観を示す斜視図である。
【図２】図１に示した携帯電話端末のカバーを外した状態を示す斜視図である。
【図３】図１のＡ−Ａ断面図である。
【図４】カバーの裏面を示す斜視図である。
【図５】従来のカバーのロック機構の一例を示す斜視図である。
【発明を実施するための形態】
【００１２】
以下、添付図面を参照して、本発明による携帯情報端末を実施するための最良の形態を説明する。しかし、本発明はこれらの実施例のみに限定されるものではない。
図１、図２に示すように、携帯電話端末１０は、ＬＣＤ等の表示部を備える表示筐体２０と、操作のための複数のキー、制御基板等を備える本体筐体（筐体、ケース本体）３０と、を備える。
このような表示筐体２０と本体筐体３０とは、それぞれの一辺２０ａ、３０ａにおいて、ヒンジ部１１により回転可能に連結されている。
【００１３】
図２、図３に示すように、本体筐体３０において、表示筐体２０と対向する側と反対側には、電池３１を収容する電池収容部（物品収容部）３２が設けられている。
電池収容部３２は、本体筐体３０において、表示筐体２０と対向する側と反対側に開口する凹部であり、その内部に電池３１が着脱可能に収容される。電池収容部３２の外周部には、電池３１の全周を囲むように周壁部３３が形成されている。図３に示すように、周壁部３３の先端部には、溝３３ａが形成されている。
【００１４】
ここで、図１及び図２に示すように、電池収容部３２には、電池収容部３２内に収容された電池３１を覆うよう、カバー３５が設けられている。このカバー３５は、プレート状で、その外周部を周壁部３３の先端部に突き当てた状態で、本体筐体３０の表面と連続した面を形成する。
また、図３、図４に示すように、カバー３５において、電池収容部３２に対向する側の表面には、カバー３５を閉じた状態で周壁部３３の先端部に対向する位置に、ゴム系材料等の弾性材料からなる環状のシール部材３４が設けられている。このシール部材３４は、カバー３５を閉じたときに、周壁部３３の溝３３ａの内部に入り込み、周壁部３３の溝３３ａとカバー３５との間で押し潰されている。
なお、周壁部３３に溝３３ａを形成しない構成とすることも可能であり、その場合、周壁部３３の先端部とカバー３５との間でシール部材３４が押し潰されることでシール性を発揮することもできる。
【００１５】
カバー３５は、図２及び図３に示すように、本体筐体３０の外周部に近接した一端部３５ａと、一端部３５ａに対向した他端部３５ｂの少なくとも２箇所において、本体筐体３０に係合されている。
ここで、カバー３５の一端部３５ａには、一端部３５ａを本体筐体３０にロックするためのロック部として、電池収容部３２に対向する側に突出する第一係止爪（係止爪）３６が形成されている。また、カバー３５の他端部３５ｂには、プレート状のカバー３５の表面に沿った方向に外周側に突出する第二係止爪３７が形成されている。
第一係止爪３６は、プレート状のカバー３５の表面に直交して電池収容部３２に対向する側に突出するよう形成されている。第一係止爪３６の先端部には、プレート状のカバー３５の表面と平行な方向であって、カバー３５の外周側に突出する係止突起３６ａが形成されている。係止突起３６ａは、第一係止爪３６の先端からカバー３５に近づくにつれて、カバー３５の外周側への突出寸法が漸次大きくなるよう、傾斜面３６ｂが形成されている。
【００１６】
図３に示すように、本体筐体３０には、周壁部３３の外周側に、カバー３５の第一係止爪３６が挿入される第一挿入凹部（凹部）３８と、カバー３５の第二係止爪３７が挿入される第二挿入凹部３９と、が形成されている。
第一挿入凹部３８は、周壁部３３の溝３３ａよりも外周側において、カバー３５の表面に直交する方向に連続して電池収容部３２の深さ方向に形成されている。さらに、本体筐体３０には、この第一挿入凹部３８に対し、本体筐体３０の外周部から、カバー３５の表面と平行な方向に貫通する貫通孔４０が形成されている。
第二挿入凹部３９は、周壁部３３の先端部からカバー３５の表面に沿った方向に連続して形成されている。
【００１７】
カバー３５は、図３に示すように、他端部３５ｂにおいては、第二係止爪３７が第二挿入凹部３９内に挿入されることで、本体筐体３０に係合される。また、カバー３５は、一端部３５ａにおいては、第一係止爪３６が第一挿入凹部３８内に挿入され、先端部の係止突起３６ａが、第一挿入凹部３８の内周面に開口した貫通孔４０に嵌まり込むことで、本体筐体３０に係合される。これによりカバー３５は本体筐体３０に係合され、シール部材３４によりシール性を維持したまま、電池収容部３２を閉塞する。
なお、カバー３５を電池収容部３２に装着するときには、カバー３５を、一端部３５ａが本体筐体３０から離間し、他端部３５ｂが本体筐体３０に接近するよう傾斜させた状態とし、他端部３５ｂの第二係止爪３７を第二挿入凹部３９に挿入させる。この後、一端部３５ａを本体筐体３０に接近させ、第一係止爪３６を第一挿入凹部３８内に挿入し、先端部の係止突起３６ａを貫通孔４０に嵌め込む。
【００１８】
さて、このようにして装着されたカバー３５を取り外すためのロック解除機構として、ロック解除部材５０が本体筐体３０に設けられている。
ロック解除部材５０は、本体筐体３０の外周部に形成された凹部４１内に収容して設けられている。ロック解除部材５０は、貫通孔４０に向けて突出し、第一挿入凹部３８内に挿入された第一係止爪３６の延長方向に直交して延びるロック解除爪５１を有している。ロック解除爪５１の先端部には、傾斜面３６ｂに平行な傾斜面５１ａが形成されている。
このようなロック解除部材５０は、貫通孔４０内で、貫通孔４０が連続する方向に沿って移動自在に設けられている。ロック解除部材５０を凹部４１内で本体筐体３０の中心側に押し込むと、ロック解除爪５１の傾斜面５１ａが第一係止爪３６の傾斜面３６ｂを押圧する。このとき、当初は、第一係止爪３６の係止突起３６ａが貫通孔４０に噛み合っているため、ロック解除爪５１は、第一係止爪３６を、それが延びる方向と直交する方向に押圧する。これにより、ロック解除爪５１は、基端部５１ｂ側を中心として、先端部の係止突起３６ａが貫通孔４０から第一挿入凹部３８内に抜け出る方向（図３中、矢印ｃ方向）に弾性変形する。さらにロック解除爪５１を押し込み続けると、係止突起３６ａが貫通孔４０から抜け出ると同時に、ロック解除爪５１の傾斜面５１ａにより、第一係止爪３６が第一挿入凹部３８から抜け出る方向（図３中、矢印ｄ方向）に押圧される。これにより、カバー３５の一端部３５ａが本体筐体３０から外れる。
この後は、カバー３５の一端部３５ａを、カバー３５の表面に沿った方向に引くことで、第二係止爪３７を第二挿入凹部３９から引き抜くことができ、カバー３５が本体筐体３０から完全に外れる。
【００１９】
上述したようにして、カバー３５の一端部３５ａを押し込めば、第一係止爪３６が第一挿入凹部３８内に挿入され、さらに先端部の係止突起３６ａが貫通孔４０に嵌まり込んで係止される。これにより、カバー３５を一つのアクションで容易に取り付けることができる。さらに、シール部材３４はカバー３５の一端部３５ａを押し込むことにより押しつぶされるので、カバー３５を取り付けた状態では、カバー３５と周壁部３３との間に挟み込まれたシール部材３４により防水性を確実に発揮できる。
カバー３５を取り外すときには、ロック解除部材５０を第一係止爪３６の延長方向に直交する方向に押し込むのみで、第一係止爪３６の係止突起３６ａの本体筐体３０への係合の解除、および第一係止爪３６の第一挿入凹部３８からの押し出しの双方を行うことができる。つまり、一つのアクションでカバー３５の本体筐体３０へのロックを解除してこれを引き上げることが可能となっている。
また、カバー３５が装着された状態では、シール部材３４が周壁部３３とカバー３５との間で押し潰されているので、第一係止爪３６の係止突起３６ａの本体筐体３０への係合が解除されると、シール部材３４の弾性によりカバー３５の一端部３５ａが本体筐体３０から離間する方向に持ち上がる。これによりカバー３５に指等をかけてカバー３５を取り外しやすくなる。
これにより、カバー３５を装着した状態では、第一係止爪３６の係止突起３６ａを本体筐体３０に係合させてシール部材３４を押しつぶした状態を確実に維持して防水性を確保しつつ、カバー３５を取り外すときにはこれを容易に行うことが可能となっている。
【００２０】
なお、本発明の携帯電話端末は、図面を参照して説明した上述の実施形態に限定されるものではなく、その技術的範囲において様々な変形例が考えられる。
例えば、第一係止爪３６とロック解除爪５１のそれぞれに、傾斜面３６ｂ、５１ａを備える構成としたが、これをいずれか一方にのみ形成することも可能である。
また、表示筐体２０、本体筐体３０を折り畳み可能な構成としたが、表示筐体２０と本体筐体３０とは、互いにスライド自在な構成とすることもできる。この他、表示筐体２０と本体筐体３０とを一体化した構成とすることができる。
また、携帯電話端末１０に限らず、ＰＨＳ、トランシーバ、ＰＤＡ、ノート型パーソナルコンピュータ、携帯音楽プレーヤー等、通信機能を有した各種電子機器をはじめ、各種物品を収容する物品収容部を有したカバーに対しても上記実施形態で示した構成を同様に適用することができる。
これ以外にも、本発明の主旨を逸脱しない限り、上記実施の形態で挙げた構成を取捨選択したり、他の構成に適宜変更することが可能である。
【符号の説明】
【００２１】
１  携帯電話端末
２  筐体
３  電池
４  電池収容部
５  カバー
５ａ  一端
５ｂ  他端
６  当たり面
７  ロック機構
７ａ  スライド式ボタン
８  係止爪
１０  携帯電話端末
１１  ヒンジ部
２０  表示筐体
２０ａ  一辺
３０  本体筐体（筐体、ケース本体）
３０ａ  一辺
３１  電池
３２  電池収容部（物品収容部）
３３  周壁部
３３ａ  溝
３４  シール部材
３５  カバー
３５ａ  一端部
３５ｂ  他端部
３６  第一係止爪（係止爪）
３６ａ  係止突起
３６ｂ  傾斜面
３７  第二係止爪
３８  第一挿入凹部（凹部）
３９  第二挿入凹部
４０  貫通孔
４１  凹部
５０  ロック解除部材（ロック解除機構）
５１  ロック解除爪
５１ａ  傾斜面
５１ｂ  基端部
【図１】
0005717170.tif 000002
【図２】
0005717170.tif 000003
【図３】
0005717170.tif 000004
【図４】
0005717170.tif 000005
【図５】
0005717170.tif 000006